(57)【要約】【課題】庇本体に複数個の光源を設置するのに内部構造の複雑化を招くおそれがなく、製造コストも安価であり、光源の取付作業や交換作業に手数を要さない庇を提供する。【解決手段】庇１は、建物の外壁面１０に前方へ張り出すように取り付けられる庇本体３と、庇本体３の幅に応じた長さのホルダー２１に複数個のＬＥＤが列をなして取り付けられて成る投光装置２とを備えている。庇本体３の内部には、幅方向に沿って投光装置２を保持することが可能な保持空間４７が設けられ、保持空間４７の両端は投光装置２が挿脱可能なように庇本体３の側端縁まで延びて開放されている。庇本体３には、投光装置２の各ＬＥＤとの対向位置に、各ＬＥＤの光を導出する開口部４９が設けられている。【選択図】図２
2006307535.tif 000002
【特許請求の範囲】
【請求項１】
建物の外壁面に前方へ張り出すように取り付けられる庇本体と、庇本体の幅に応じた長さのホルダーに複数個の光源が列をなして取り付けられて成る投光装置とを備え、前記庇本体の内部には、幅方向に沿って前記投光装置を保持することが可能な保持空間が設けられ、前記保持空間の少なくとも一端は前記投光装置が挿脱可能なように庇本体の側端縁まで延びて開放されており、前記庇本体には、前記投光装置の各光源との対向位置に、各光源の光を導出する開口部が設けられて成る庇。
【請求項２】
前記庇本体は、内部が中空の庇板と、建物の外壁面に固定され前記庇板の基端部を支持する支持枠とから成り、前記庇板の内部に前記保持空間が設けられ、保持空間の下方に外部に面した前記開口部が位置している請求項１に記載された庇。
【請求項３】
前記庇本体は、透光性を有する板材より成る庇板と、建物の外壁面に固定され前記庇板の基端部を支持する支持枠とから成り、前記支持枠の内部に前記保持空間が設けられ、保持空間の前方に庇板の基端面に面する前記開口部が位置している請求項１に記載された庇。
【発明の詳細な説明】
【技術分野】
【０００１】
この発明は、建物の外壁面に前方へ張り出すように取り付けられる庇に関し、特にこの発明は、照明や電飾のための投光装置が組み込まれた庇に関する。
【背景技術】
【０００２】
従来、建造物には、玄関の出入り口を始めとして外壁の適所に日よけや雨よけのための庇が設けられている。例えば集合住宅では、全戸の郵便受けが一カ所に集めてあり、それが屋外にある場合、上方に庇が設置されている。また、種々の施設では建造物の外壁面などに掲示板が設けられており、その種の掲示板の上方に庇が設置されている。
【０００３】
例えば、玄関の出入り口に設置される庇として、内部が空洞となっている庇本体内に蛍光灯のような照明器具が組み込まれたものが提案されている（例えば、特許文献１参照）。この種の庇は、床面から高い位置に設置されているので、蛍光灯のような照明器具をほぼ中央部の一カ所に設けるだけで、照明光の広がりによって玄関が広範囲に照らされる。
【０００４】
ところで、前記した郵便受けや掲示板の上方に設置される庇には照明器具は組み込まれていない。そのため、夕刻や夜間になると、周辺の明かりによって郵便受けや掲示板の文字などを読むより他はなく、文字が読みづらいという問題がある。
【０００５】
【特許文献１】特開２０００−２７３５０号公報
【発明の開示】
【発明が解決しようとする課題】
【０００６】
上記した実情に鑑み、この発明の発明者はこの種の庇に照明のための光源を組み込むことを検討したところ、この種の庇は、玄関の出入り口に設置される庇と異なり、光源と被照射面との距離が短いため、庇の中央部の一カ所に光源を設けるだけでは端部の照明が不十分であることが判明した。特に、郵便受けや掲示板の全長が長い場合、庇の全長もそれに応じて長くなるため、光源を複数箇所に設ける必要がある。光源として、特に、安価で耐久性のある発光ダイオード（以下、「ＬＥＤ」という。）を用いる場合、多数個のＬＥＤを間隔を詰めて配列する必要があるが、ＬＥＤを多数個設置するとなれば、庇本体の内部構造が複雑となってコスト高となり、ＬＥＤの取付作業や交換作業に手数がかかるという問題がある。
【０００７】
この発明は、上記した問題に着目してなされたもので、複数個の光源を設置するのに内部構造の複雑化を招くおそれがなく、製造コストも安価であり、光源の取付作業や交換作業に手数を要さない庇を提供することを目的とする。
【課題を解決するための手段】
【０００８】
この発明による庇は、建物の外壁面に前方へ張り出すように取り付けられる庇本体と、庇本体の幅に応じた長さのホルダーに複数個の光源が列をなして取り付けられて成る投光装置とを備えている。前記庇本体の内部には、幅方向に沿って前記投光装置を保持することが可能な保持空間が設けられ、前記保持空間の少なくとも一端は前記投光装置が挿脱可能なように庇本体の側端縁まで延びて開放されている。前記庇本体には、前記投光装置の各光源との対向位置に、各光源の光を導出する開口部が設けられている。
【０００９】
上記した構成の庇において、庇本体に投光装置を取り付けるには、投光装置を保持する保持空間の少なくとも一端が庇本体の側端縁まで延びて開放されているので、前記投光装置を保持空間に対して庇本体の側端縁の開放部分から挿入することにより投光装置が保持空間に保持される。前記保持空間は投光装置の各光源と対向する位置に開口部が存在するので、各光源の光はその開口部より導出される。光源に故障などが生じたとき、投光装置のホルダーを保持空間を摺動させて庇本体の側端縁の開放部分から取り出した後、光源を新しいものと交換する。
【００１０】
この発明の上記した構成において、「投光装置」は１個であっても複数個であってもよい。また、「ホルダー」はアルミなどの金属や合成樹脂より成る板状体、棒状体、枠状体のような長手形状のものであり、その形態は問わない。「光源」はＬＥＤの他、電球や放電灯を用いることが可能である。
【００１１】
前記庇本体には種々の実施態様があるが、その一は、内部が中空の庇板と、建物の外壁面に固定され前記庇板の基端部を支持する支持枠とから成る。前記庇板の内部に前記保持空間が設けられ、保持空間の下方に外部に面した前記開口部が位置している。
【００１２】
この実施態様によると、投光装置の各光源が点灯したとき、各光源の光は保持空間の下方の開口部より外部へ導出され、庇の下方が照らされる。
なお、光源は全個数を一斉に点灯させてもよく、選択されたいずれかを部分的に点灯させてもよい。例えば、庇本体に周囲の明るさを検出する光検知センサを設けると共に、光源の配列方向に沿って所定間隔毎に人体を検出する人検知センサを設けておき、周囲が暗くなって光検知センサが感応し、かついずれかの人検知センサが人体に感応したとき、感応した人検知センサの設置位置近傍の光源を点灯させるようにしてもよい。このように構成すれば、必要かつ最小限の個数の光源を点灯させることが可能であり、資源の節約と経費の節減とを実現できる。
【００１３】
前記庇本体の他の実施態様は、透光性を有する板材より成る庇板と、建物の外壁面に固定され前記庇板の基端部を支持する支持枠とから成る。前記支持枠の内部に前記保持空間が設けられ、保持空間の前方に庇板の基端面に面する前記開口部が位置している。
前記庇板として、透明な板ガラスや合成樹脂板を用いることができる。また、板ガラスや合成樹脂板は、無色のものであっても着色されたものであってもよい。さらに、透明なものに限らず、半透明なものであってもよい。
【００１４】
この実施態様によると、投光装置の各光源が点灯したとき、各光源の光は保持空間の前方の開口部より庇板の基端面に向けて導出され、その光は庇板の内部に導入される。さらに、庇板の内部で全反射を繰り返しつつ進み、庇板の先端面や側端面より出る。これにより庇板の先端面や側端面が光り輝き、その周辺も明るくなる。
【発明の効果】
【００１５】
この発明によると、庇本体に投光装置が組み込まれているので、照明や電飾が可能となり、特に、郵便受けや掲示板の上方に設置される庇に実施したとき、夕刻や夜間に郵便受けや掲示板の文字が読みづらくなるという不都合を解消できる。
また、ホルダーに複数個の光源を列をなして取り付けて投光装置を構成し、前記投光装置を庇本体の保持空間に対して庇本体の側端縁から挿脱可能としたから、庇本体に複数個の光源を設置するのに内部構造の複雑化を招くおそれがなく、製造コストも安価であり、光源の取付作業や交換作業に手数を要さない。
【発明を実施するための最良の形態】
【００１６】
図１および図２は、この発明の一実施例である庇１の外観とその設置状態を示す。
図示例の庇１は、集合住宅の建物の外壁面１０に設けられた郵便受け１１の上方に設置されたものである。なお、この発明の庇は、郵便受けに限らず、掲示板の上方に設けられる庇、さらには、玄関の出入り口や窓の上方に設けられる庇などにも適用できる。
【００１７】
図示の郵便受け１１は、９個の郵便ボックス１２が３行、３列に配列されたもので、各郵便ボックス１２の前面は開閉可能な扉１３により塞がれている。前記扉１３は郵便物の投入口１４を有し、適所にダイヤル錠１５とネームプレート１６とが設けられている。
【００１８】
前記庇１は、庇本体３の内部に複数個（この実施例では６個）のＬＥＤ２０ａ〜２０ｆを有する投光装置２が組み込まれたものである。前記庇本体３は、建物の外壁面１０に前方へ張り出す庇板４と、庇板４を建物の外壁面１０に取り付けるための支持枠３１とから成る。各ＬＥＤ２０ａ〜２０ｆは庇板４の幅方向に沿って横一列に並んでいる。庇板４および支持枠３１は両側端面が開放され、その開放面が側面板３０，３０によって塞がれている。
前記ＬＥＤ２０ａ〜２０ｆが点灯すると、その下方が照らされるので、ネームプレート１６の文字が容易に読み取ることができ、また、ダイヤル錠１５のダイヤル操作が容易に行える。
【００１９】
この実施例では、周囲が暗くなっただけではＬＥＤ２０ａ〜２０ｆは点灯せず、庇板４の下方に人がきたとき、６個のＬＥＤ２０ａ〜２０ｆのうちの特定のＬＥＤのみが点灯するようにしてあり、そのために、庇板４の適所に周囲の明るさを検出する光検知センサＳ０を設け、さらに、庇板４の幅方向に沿って所定間隔毎に人体を検出する３個の人検知センサＳＡ〜ＳＣを設けている。
いま、周囲が所定の明るさ以下になって光検知センサＳ０が感応し、かつ、人検知センサＳＡ〜ＳＣのいずれか（例えば、左端の人検知センサＳＡ）が人体に感応したとき、その人検知センサＳＡの設置位置近傍のＬＥＤ２０ａ，２０ｂが点灯する。
【００２０】
前記投光装置２は、庇板４の幅に一致する長さのホルダー２１に６個のＬＥＤ２０ａ〜２０ｆを一列に取り付けたものである。なお、ホルダー２１は庇板４の幅以下であれば、その長さは問わない。
前記庇板４は、アルミニウムのような金属材を引き抜き加工して形成されており、上壁４Ａと下壁４Ｂとの間が空洞となっている。この庇板４の基端部は、建物の外壁面１０に複数本のボルト１７により固定された支持枠３１により支持されている。前記支持枠３１は庇板４と同一幅のものであり、上端部および下端部には前方へ突出しかつ先端が上向きに屈曲された突片３２，３３が形成されている。前記庇板４の基端壁４０には先端が下向きに屈曲された係合片４２，４３が形成されており、この上下の係合片４２，４３が前記支持枠３１の突片３２，３３にそれぞれ係合することにより庇板４が水平な姿勢で保持される。
【００２１】
前記庇板４は、先端縁に雨水を両側へ導く樋部４４を備え、上壁４Ａと下壁４Ｂとの間には補強のための中間壁４１Ａ，４１Ｂが設けられている。一方の中間壁４１Ａと前記基端壁４０とには側面板３０を庇本体３の両側の開放面にビス止めするためのビス止め孔４５，４５が設けられている。庇板４の中空内部には、他方の中間壁４１Ｂの位置に、前記投光装置２を保持することが可能な保持空間４７が囲い壁４６により形成されている。この保持空間４７に対し前記投光装置２のホルダー２１を摺動させるようにして投光装置２の取付けおよび取外しを行う。
【００２２】
前記保持空間４７は庇板４の全幅にわたって形成され、庇板４に対する前記ホルダー２１の挿脱が可能なように庇板４の両側端縁まで延びている。保持空間４７の下方は開口し、図３に示すように、この開口部４９の開口縁にガイド壁４８，４８が立ち上がっている。保持空間４７内に投光装置２が保持されたとき、投光装置２の各ＬＥＤ２０ａ〜２０ｆが下方を向いて前記開口部４９と対向するもので、この開口部４９より各ＬＥＤ２０ａ〜２０ｆの光が庇板４の下方へ導出される。
【００２３】
図４には投光装置２の構成が示してある。図示例の投光装置２は、枠状をなす金属製のホルダー２１に所定間隔毎にＬＥＤ２０ａ〜２０ｆを取り付けて構成されている。前記ホルダー２１は、対向壁２３，２３間に全長にわたって開口する凹溝２２を有し、この凹溝２２内に、ＬＥＤ２０ａ〜２０ｆを支持した合成樹脂製のソケット２４が一定間隔毎に固定されている。このホルダー２１を庇板４の保持空間４７に一側端より挿入するには、前記対向壁２３，２３の先端縁を前記ガイド壁４８，４８に係合させた状態で保持空間４７内を摺動させる。
【００２４】
各ソケット２４，２４間は給電のためのコード線２５が電気接続されている。一方の端部のコード線２６はホルダー２１に形成された切欠２７より後方へ引き出されている。前記コード線２６と、前記光検知センサＳ０や人検知センサＳＡ〜ＳＣより引き出されるコード線１０２，１０３とは、庇板４の中空内部に配備されたコントロールボックス１００内に導かれている。このコントロールボックス１００からは電源コード１０１が引き出され、外壁面１０の内側へ引き込まれて電源（図示せず。）に接続される。
【００２５】
この実施例の投光装置２は、ホルダー２１として金属枠材を用いているが、これに代えてプリント配線基板を用いることもできる。プリント配線基板を用いれば、配線パターン上にＬＥＤ２０ａ〜２０ｆを直接ハンダ付けして取る付けることができ、また、配線パターンによってコード線による配線も簡略化できる。
【００２６】
図５は、プリント配線基板をホルダー２１として用いた投光装置２を庇板４に取り付けた状態を示している。庇板４の囲い壁４６内には、対向する一対の支持壁１１０，１１０が形成され、各支持壁１１０にホルダー２１を摺動可能に支持する支持溝１１２と、板状の透明カバー１１１を取り付ける取付溝１１３とが形成されている。支持溝１１２内に投光装置２のホルダー２１が支持された状態のとき、投光装置２の各ＬＥＤ２０ａ〜２０ｆが下方を向いて開口部４９と対向し、この開口部４９より各ＬＥＤ２０ａ〜２０ｆの光が庇板４の下方へ導出される。
【００２７】
図６は、前記コントロールボックス１００に組み込まれている制御回路の構成を示している。同図中、Ｒ１〜Ｒ３は電磁リレーであり、各電磁リレーＲ１〜Ｒ３に人検知センサＳＡ〜ＳＣがそれぞれ直列に接続されている。互いに並列接続された各電磁リレーＲ１〜Ｒ３のリレー回路１２１〜１２３は光検知センサＳ０にそれぞれ接続されている。ｒ１〜ｒ３は各電磁リレーＲ１〜Ｒ３の常開接点であり、各常開接点ｒ１〜ｒ３にＬＥＤ２０ａ〜２０ｆが２個づつ直列に接続されている。なお、図中、１２４，１２５は電源ライン、ＳＷは電源スイッチである。
上記した制御回路において、周囲の明るさが所定の明るさ以下になったとき、光検知センサＳ０がそれに感応する。いま、人検知センサＳＡ〜ＳＣのうち、人検知センサＳＡが人体に感応したとすると、その人検知センサＳＡを含むリレー回路１２１が導通して電磁リレーＲ１が付勢される。その結果、対応する常開接点ｒ１が閉動作してＬＥＤ２０ａ，２０ｂが点灯する。他の人検知センサＳＢ,ＳＣが感応したときも同様の動作であり、ここでは説明を省略する。
【００２８】
図７は、庇本体３に照明と電飾とを兼ねた投光装置２が組み込まれた他の実施例を示している。
図示例の庇１は、板ガラスより成る庇板４と、前記庇板４の基端部を支持する支持枠７とで庇本体３が構成されている。前記庇板４は２本のアーム５，５により水平ないしは水平に近い角度で吊持されている。庇板４は平面形状が横に長い矩形状であり、図８に示すように、２枚の透明な強化ガラス板Ｇ１，Ｇ２を強靱かつ無色透明なシート材Ｐを中間に挟んで一体接合されて成る。前記シート材Ｐの表裏面には粘着層が設けられ、この粘着層によって各強化ガラス板Ｇ１，Ｇ２とシート材Ｐとが接合される。従って、たとえ強化ガラス板ＧＩ，Ｇ２が強い衝撃を受けて破損しても、その破片が散乱することはない。
【００２９】
前記支持枠７は、庇板４の幅と一致する長さを有するもので、庇板４の基端部を支持する本体フレーム７０と、本体フレーム７０の前面の上半分を覆う蓋板８とを含んでいる。支持枠７の両側端面は開放され、各開放部は板状のキャップ１０５，１０５で塞がれてねじ止めされている。
【００３０】
前記本体フレーム７０は、背板部７２の上端縁にやや下向きの上壁部７３が、高さ中央部および下端縁に水平な中間壁部７４および下壁部７５が、それぞれ突設されたものである。前記背板部７２には、上壁部７３と中間壁部７４との間に、アンカーボルト２００が挿入されるボルト挿通孔７６が一定間隔毎に設けられている。前記アンカーボルト２００上には前記蓋板８が被せられ、これによりアンカーボルト２００は外部から見えないようになっている。前記中間壁部７４と下壁部７５とは蓋板８より前方へ突き出ている。
【００３１】
前記中間壁部７４と下壁部７５との間には、投光装置２が組み込まれて保持される保持空間７７と、庇板４の基端部が差し込まれる支持溝７１とが中間に仕切壁７８を介在させて形成されている。前記仕切壁７８には本体フレーム７０の全長にわたって開口部７９が形成されている。この開口部７９を介して支持溝７１と保持空間７７とが連通し、庇板４の基端部が支持溝７１へ差し込まれたとき、庇板４の基端面は前記開口部７９を介して保持空間７７に面している。
【００３２】
前記支持溝７１内にはゴムなどのクッション材２０２が装填されるとともに、支持溝７１の開口部はシリコンなどのコーキング材２０３により密封されている。前記クッション材２０２は庇板４に作用する衝撃や振動を吸収するためのものであり、コーキング材２０３は支持溝７１内への雨水の浸入を防止するためのものである。
【００３３】
前記蓋板８は、アンカーボルト２００上を覆う前面部８ａと、上壁部７３の上面に支持される上面部８ｂとを備えている。上面部８ｂの先端縁には上壁部７３の基端部に形成された段部８０に係合する鈎状部８１が形成されている。蓋板８の前面部８ａには中間壁部７４の上面に突設された突壁部７４ａに係合する係合部８３が形成されている。蓋板８の上面部８ｂは複数箇所が上壁部７３にねじ８４より止め固定されるもので、蓋板８の上面部８ｂには前記ねじ８４の頭部を支持する孔８２が、前記本体フレーム７０の上壁部７３にはねじ８４がねじ込まれるねじ孔８７が、それぞれ形成されている。
【００３４】
前記投光装置２は、前記保持空間７７内を摺動させて一側端部より挿脱できるようになっている。なお、投光装置２は、第１実施例と同様の構成のものであって、ここでは対応する構成に同一の符号を付することで詳細な説明を省略する。
【００３５】
各アーム５は、長さ調節が可能な構成であり、図７および図９に示すように、金属製パイプより成るアーム本体５０の両端にねじ軸５１，５２を介して取付金具９，９０がそれぞれ取り付けられている。各ねじ軸５１，５２は一端部に前記取付金具９，９０の連結板９１が取り付けられ、他端部はアーム本体５０の両端に装着されたナット部材５３，５４にねじ込まれている。各ねじ軸５１，５２はねじの方向が逆方向であり、アーム本体５０を一方向へ回転させたとき、各ねじ軸５１，５２がアーム本体５０の両端より突き出てアーム５の長さが長くなる。また、アーム本体５０を反対方向へ回転させたとき、ねじ軸５１，５２がアーム本体５０の内部へ入り込んでアーム５の長さが短くなる。
【００３６】
アーム５の下端部側の取付金具９は、枢軸９２上に連結板９１と取付板９３とを回動自由に取り付けることにより連結板９１に対して取付板９３を屈曲可能としたものである。取付板９３は、基板部９３ｂ上に前記連結板９１を両側から挟む一対の支持板部９３ａ，９３ａが一体形成されたものである。前記基板部９３ｂには２個の貫通孔９５，９５が形成され、各貫通孔９５に後述する位置決め部材１２０のねじ軸１２１，１２１を挿通させてナット９６を装着する。
【００３７】
アーム５の上端部側の取付金具９０は、枢軸９２上に前記連結板９１と取付板９４とを回動自由に取り付けることにより連結板９１に対して取付板９４を屈曲可能としたものである。前記取付板９４は、基板部９４ｂ上に前記連結板９１を両側から挟む一対の支持板部９４ａ，９４ａが一体形成されたものである。前記基板部９４ｂには２個の貫通孔（図示せず）が形成され、各貫通孔にアンカーボルト２０１をそれぞれ挿通して基板部９４ｂを建物の外壁面１０に固定する。
【００３８】
前記庇板４の先端縁には２個の縁枠６Ａ，６Ｂが左右対称位置に装着されている。各縁枠６Ａ，６Ｂは、庇板４の先端縁が挿入される取付溝６０と、位置決め部材１２０を長さ方向へ摺動自由に保持する摺動溝６１とが全長にわたって形成されたものである。前記取付溝６０は、前面部６２と下壁部６３と上壁部６４との間に形成されており、この取付溝６０内には庇板４に作用する衝撃や振動を吸収するためのゴムなどのクッション材６５が装填されるとともに、取付溝６０の開口部は取付溝６０内への雨水の浸入を防止するシリコンなどのコーキング材６６により密封されている。なお、図中、６９は、前面部６２の外面に対向して突設された突壁であり、この突壁６９，６９間に化粧板などを取り付けることが可能である。
【００３９】
前記摺動溝６１は、上壁部６４の外面に全長にわたって突設された囲い壁６７内に形成されている。前記囲い壁６７は全長にわたる溝開口６８を備えており、この溝開口６８は、位置決め部材１２０が脱出しないように、前記位置決め部材１２０の幅より小さな溝幅に設定されている。
前記位置決め部材１２０は、前記摺動溝６１の溝幅とほぼ同一幅を有する金属製の板状体であり、アーム５の下端部との連結位置に位置決めされる。位置決め部材１２０の板面上には左右対称位置にねじ軸１２１，１２１が上向きに突設されている。各ねじ軸１２１は前記摺動溝６１の溝開口６８より囲い壁６７の上方へ突出している。各ねじ軸１２１はアーム５の下端に取り付けられた取付金具９に接続されるもので、取付金具９の取付板９３に形成された貫通孔９５にねじ軸１２１を通し、その先端にナット９６を装着して締め付ける。
【００４０】
なお、図示していないが、幅の大きな庇については、３本以上のアーム５を用いて庇板４を吊持してもよい。その場合、庇板４の先端縁にアーム５の本数に応じた個数の縁枠を装着する。
【００４１】
庇本体３に投光装置２を取り付けるには、図１に示す実施例の庇１では、庇板４の保持空間４７の両端が庇板４の側端縁まで延びて開放されており、また、図７に示す実施例の庇１では、支持枠７の保持空間７７の両端が保持枠７の側端縁まで延びて開放されているので、前記投光装置２を保持空間４７，７７に対して庇本体３の側端縁から挿入して保持空間４７，７７に保持させることができる。
【００４２】
図１に示す実施例の庇１では、前記保持空間４７は投光装置２の各光源２０ａ〜２０ｆと対向する位置に外部に面する開口部４９が位置するので、各光源２０ａ〜２０ｆの光はその開口部４９より外部へ導出され、庇１の下方を照らす。
図７に示す実施例の庇１では、前記保持空間７７は投光装置２の各光源２０ａ〜２０ｇと対向する位置に庇板４の基端面に面する開口部７９が位置するので、各光源２０ａ〜２０ｇの光はその開口部７９より庇板４の内部に導入され、さらに、庇板４の内部で全反射を繰り返しつつ進み、庇板４の先端面や側端面より出る。
【００４３】
光源のいずれかに故障などが生じたとき、図１の実施例では庇本体３の側面板３０を外し、図７の実施例では支持枠７のキャップ１０５を外した後、投光装置２のホルダー２１を庇板４の保持空間４７や支持枠７の保持空間７７を摺動させて庇本体３の側端縁から取り出し、光源を新しいものと交換する。
【図面の簡単な説明】
【００４４】
【図１】この発明の一実施例である庇の外観とその設置状況を示す斜視図である。
【図２】庇本体の縦断面図である。
【図３】投光装置の取付状態を示す庇板の拡大断面図である。
【図４】投光装置の構成を示す斜視図である。
【図５】他の実施例の投光装置の取付状態を示す庇板の拡大断面図である。
【図６】制御回路の構成を示す電気配線図である。
【図７】この発明の他の実施例の外観とその設置状況を示す斜視図である。
【図８】支持枠の構成を示す断面図である。
【図９】縁枠の構成とアームの取付状態とを示す断面図である。
【符号の説明】
【００４５】
１    庇
２    投光装置
３    庇本体
４    庇板
７    支持枠
２０ａ〜２０ｇ  ＬＥＤ
２１  ホルダー
３１  支持枠
４７，７７  保持空間
４９，７９  開口部
【図１】
2006307535.tif 000003
【図２】
2006307535.tif 000004
【図３】
2006307535.tif 000005
【図４】
2006307535.tif 000006
【図５】
2006307535.tif 000007
【図６】
2006307535.tif 000008
【図７】
2006307535.tif 000009
【図８】
2006307535.tif 000010
【図９】
2006307535.tif 000011